(57)【要約】【課題】  軽量かつ安価でありながら、組立が容易で収納性に優れた組み立て式ベッドを提供すること。【解決手段】  この組み立て式ベッドは、環状の枠体１０と、６枚の支持板３０と、一対の床板２０とから構成される。枠体１０は、長さがＬ、幅がＨの矩形状の一対の第１のダンボール部１１と、長さが前記Ｌより小さいＷ、幅がＨの矩形状の一対の第２のダンボール部１２とを、立設状態で交互に連結した構成を有する。この枠体１０は、平面視においてその内周が矩形状をなす、高さＨの環状の形状を有する。【選択図】        図２
0003137572.tif 000002
【実用新案登録請求の範囲】
【請求項１】
長さがＬ、幅がＨの矩形状の一対の第１のダンボール部と、長さが前記Ｌより小さいＷ、幅がＨの矩形状の一対の第２のダンボール部とを、立設状態で交互に連結した構成を有し、平面視においてその内周が矩形状をなす高さＨの環状の枠体と、
前記枠体の内周面に接着され、その上端の位置が前記枠体の上端の位置より下方に配置されるダンボール製の支持部材と、
平面視においてその外周が前記枠体の内周と略同一形状をなすダンボール製の床板と、
前記枠体における第１のダンボール部間の距離が所定以上となることを防止するダンボール製の規制部材と、
を備えたことを特徴とする組み立て式ベッド。
【請求項２】
請求項１に記載の組み立て式ベッドにおいて、
前記規制部材は、前記床板の周辺部に付設され、前記枠体と前記支持部材との間に形成された凹部内に挿入可能な連結片を含む組み立て式ベッド。
【請求項３】
請求項１に記載の組み立て式ベッドにおいて、
前記規制部材は、前記床板の下方に配設され、前記第１のダンボール部と前記支持部材との間に形成された凹部内に挿入可能な連結片をその両端に付設した連結棒を含む組み立て式ベッド。
【請求項４】
請求項２に記載の組み立て式ベッドにおいて、
前記床板は、対向する２辺に前記第１のダンボール部と前記支持部材との間に形成された凹部内に挿入可能な連結片が配設され、他の１辺に前記第２のダンボール部と前記支持部材との間に形成された凹部内に挿入可能な連結片が形成された２枚のダンボール板よりなる組み立て式ベッド。
【請求項５】
請求項１乃至請求項４のいずれかに記載の組み立て式ベッドにおいて、
前記床板は、ハニカム構造のダンボール板を含む組立式ベッド。
【請求項６】
請求項１乃至請求項５のいずれかに記載の組み立て式ベッドにおいて、
前記床板の上面にエアパッキングシートを付設した組立式ベッド。
【請求項７】
請求項１乃至請求項６のいずれかに記載の組み立て式ベッドにおいて、
前記第１のダンボール部は、その長さＬのうち、両端部からそれぞれ距離Ａおよび距離Ｂとなる位置に各々山折り部が、また、各山折り部の中央の位置に谷折り部が形成されており、前記山折り部と前記谷折り部との距離をＣ、前記枠体の厚みをｔ、前記支持部材の厚みをＴとしたとき、下記の式を充足する組み立て式ベッド。
Ｌ＝Ａ＋Ｂ＋２×Ｃ
Ｗ＞Ｃ
Ａ＝２×（Ｔ＋ｔ）
Ｂ＝２Ｔ
【請求項８】
請求項７に記載の組み立て式ベッドにおいて、
前記支持部材は、前記第１のダンボール部における前記山折り部および前記谷折り部に相当する位置以外の位置に配設された複数の支持板より構成される組み立て式ベッド。
【考案の詳細な説明】
【技術分野】
【０００１】
この考案は、組み立て式ベッドに関する。
【背景技術】
【０００２】
地震、噴火、台風、洪水等の大規模災害時には、国または地方自治体は、被災者を収容するため、体育館や公民館を避難所として提供するようにしている。このような場合に、睡眠時に床面に直接布団を敷いたとしても、床面の硬度の問題や、温度の問題、あるいは、埃等の問題により、十分な休養および睡眠をとることは困難である。このため、体育館や公民館に簡易なベッドを提供することが好ましい。
【０００３】
このため、特許文献１においては、災害時に避難所において使用するための避難所用架設ベッドが提案されている。
【０００４】
しかしながら、このようなベッドは、災害時に備え、予想される最大の被災者数にあわせて予め準備する必要があることから、軽量かつ安価であることが好ましい。このため、特許文献２においては、ダンボール製のベッドが提案されている。
【特許文献１】特開平９−８４６６４号公報
【特許文献２】特開２００１−１９０３５４号公報
【考案の開示】
【考案が解決しようとする課題】
【０００５】
このようなベッドは、災害時においてのみ使用されるものであることから、非使用時においては、コンパクトに収納しうることが好ましい。一方、災害発生時においては、収納状態から簡易に組み立て得る構成となっていることが好ましい。
【０００６】
この考案は上記課題を解決するためになされたものであり、軽量かつ安価でありながら、組立が容易で収納性に優れた組み立て式ベッドを提供することを目的とする。
【課題を解決するための手段】
【０００７】
請求項１に記載の考案は、長さがＬ、幅がＨの矩形状の一対の第１のダンボール部と、長さが前記Ｌより小さいＷ、幅がＨの矩形状の一対の第２のダンボール部とを、立設状態で交互に連結した構成を有し、平面視においてその内周が矩形状をなす高さＨの環状の枠体と、前記枠体の内周面に接着され、その上端の位置が前記枠体の上端の位置より下方に配置されるダンボール製の支持部材と、平面視においてその外周が前記枠体の内周と略同一形状をなすダンボール製の床板と、前記枠体における第１のダンボール部間の距離が所定以上となることを防止するダンボール製の規制部材とを備えたことを特徴とする。
【０００８】
請求項２に記載の考案は、請求項１に記載の考案において、前記規制部材は、前記床板の周辺部に付設され、前記枠体と前記支持部材との間に形成された凹部内に挿入可能な連結片を含む。
【０００９】
請求項３に記載の考案は、請求項１に記載の考案において、前記規制部材は、前記床板の下方に配設され、前記第１のダンボール部と前記支持部材との間に形成された凹部内に挿入可能な連結片をその両端に付設した連結棒を含む。
【００１０】
請求項４に記載の考案は、請求項２に記載の考案において、前記床板は、対向する２辺に前記第１のダンボール部と前記支持部材との間に形成された凹部内に挿入可能な連結片が配設され、他の１辺に前記第２のダンボール部と前記支持部材との間に形成された凹部内に挿入可能な連結片が形成された２枚のダンボール板よりなる。
【００１１】
請求項５に記載の考案は、請求項１乃至請求項４のいずれかに記載の考案において、前記床板は、ハニカム構造のダンボール板を含む。
【００１２】
請求項６に記載の考案は、請求項１乃至請求項５のいずれかに記載の考案において、前記床板の上面にエアパッキングシートを付設した。
【００１３】
請求項７に記載の考案は、請求項１乃至請求項６のいずれかに記載の考案において、前記第１のダンボール部は、その長さＬのうち、両端部からそれぞれ距離Ａおよび距離Ｂとなる位置に各々山折り部が、また、各山折り部の中央の位置に谷折り部が形成されており、前記山折り部と前記谷折り部との距離をＣ、前記枠体の厚みをｔ、前記支持部材の厚みをＴとしたとき、下記の式を充足する。
【００１４】
Ｌ＝Ａ＋Ｂ＋２×Ｃ
Ｗ＞Ｃ
Ａ＝２×（Ｔ＋ｔ）
Ｂ＝２Ｔ
請求項８に記載の考案は、請求項７に記載の考案において、前記支持部材は、前記第１のダンボール部における前記山折り部および前記谷折り部に相当する位置以外の位置に配設された複数の支持板より構成される。
【考案の効果】
【００１５】
請求項１乃至請求項３に記載の考案によれば、軽量かつ安価でありながら、その組立および分解が容易で、しかも収納性に優れている。また、枠体の作用により、狭い体育館等において布団がベッドの端縁より落ちることを防止することが可能となる。
【００１６】
請求項４に記載の考案によれば、収納性を高めることが可能となるとともに、共通のダンボール板より床板を構成することが可能となる。
【００１７】
請求項５に記載の考案によれば、床板の軽量化と強度の向上を図ることが可能となる。
【００１８】
請求項６に記載の考案によれば、クッション性と保温性を向上させることが可能となる。
【００１９】
請求項７および請求項８に記載の考案によれば、枠体をコンパクトに折り畳むことが可能となる。
【考案を実施するための最良の形態】
【００２０】
以下、この考案の実施の形態を図面に基づいて説明する。図１はこの考案の第１実施形態に係る組み立て式ベッドの斜視図であり、図２はその分解斜視図である。また、図３はこの組み立て式ベッドの概要図であり、図３（ａ）はその平面図、また、図３（ｂ）はその側面概要である。
【００２１】
この組み立て式ベッドは、環状の枠体１０と、６枚の支持板３０と、一対の床板２０とから構成される。
【００２２】
枠体１０は、長さがＬ、幅がＨの矩形状の一対の第１のダンボール部１１と、長さが前記Ｌより小さいＷ、幅がＨの矩形状の一対の第２のダンボール部１２とを、立設状態で交互に連結した構成を有する。この枠体１０は、平面視においてその内周が矩形状をなす、高さＨの環状の形状を有する。なお、一対の第１のダンボール部１１と一対の第２のダンボール部１２とを交互に連結した構成とは、これら４枚のダンボール板を実際に連結したものでもよく、単一のダンボール板を折り曲げることによりそれと同等の構成としたものでもよい。
【００２３】
６枚の支持板３０は、一対の床板２０をその下方から支持するためのものであり、枠体１０を構成する第１、第２のダンボール部１１、１２の内周面に接着されている。これらの支持板３０の上端の位置は、枠体１０を構成する第１、第２のダンボール部１１、１２の上端の位置より下方に配置されるように、支持板３０のサイズと接着位置が設定されている。
【００２４】
図４は支持板３０を第１のダンボール部１１に接着した状態を示す部分拡大図であり、図５は支持板３０における凹部３１付近の拡大図である。
【００２５】
支持板３０は、複数枚のダンボールを積層した構成を有し、それらダンボールの一部を切り欠くことにより、後述する連結片２５を挿入するための凹部３１を形成する構成となっている。この支持板３０は、図５に示す面３２が第１のダンボール部１１または第２のダンボール部１２の内周面に接着されることにより、第１のダンボール部１１または第２のダンボール部１２に固定される。
【００２６】
一対の床板２０は、それらにより形成される外周が、平面視において、枠体１０の内周と略同一形状を形成するよう構成されている。
【００２７】
図６は床板２０の斜視図であり、図７は床板２０の中央部付近の断面図である。
【００２８】
この床板２０は、一対のダンボール板２２によりハニカム構造のダンボール板２３を挟持した構成を有する。上側のダンボール板２２の上面には、エアパッキングシート２１が付設されている。床板２０としてこのような構成を採用することにより、床板１０の軽量化と強度の向上を図りながら、そのクッション性と保温性を向上させることが可能となる。
【００２９】
図６に示すように、各床板２０における下側のダンボール板２２の対向する２辺には、各々枠体１０における第１のダンボール部１１と支持板３０との間に形成された凹部３１内に挿入可能な一対の連結片２５が配設されており、他の１辺には、枠体１０における第２のダンボール部１２と支持板３０との間に形成された凹部３１内に挿入可能な連結片２５が形成されている。
【００３０】
これらの各床板２０に付設された６個の連結片２５と、第１、第２のダンボール部１１、１２と支持板３０とにより形成された凹部３１とは、枠体１０における第１のダンボール部１１間の距離が所定以上となることを防止する規制部材として機能する。
【００３１】
なお、この実施形態においては、一対の同一の床板２０を使用していることから、床板２０の収納性を高めることが可能となるとともに、共通のダンボール板より床板１０を構成することができ量産効果を得ることが可能となる。しかしながら、３個以上の床板を使用してもよく、また、単一の床板を使用してもよい。
【００３２】
図３（ａ）に示すように、第１のダンボール部１１は、その長さＬのうち、両端部からそれぞれ距離Ａおよび距離Ｂとなる位置に各々山折り部が、また、各山折り部の中央の位置に谷折り部が形成されており、山折り部と谷折り部との距離をＣ、枠体１１（すなわち第１、第２のダンボール部１１）の厚みをｔ、支持板３０の厚みをＴとしたとき、概ね、下記の式（１）〜（４）を充足する。
【００３３】
Ｌ＝Ａ＋Ｂ＋２×Ｃ  ・・・  （１）
Ｗ＞Ｃ  ・・・・・・・・・  （２）
Ａ＝２×（Ｔ＋ｔ）  ・・・  （３）
Ｂ＝２Ｔ  ・・・・・・・・  （４）
そして、上述した支持板３０は、第１のダンボール部１１における山折り部および谷折り部に相当する位置以外の位置に配設されている。
【００３４】
図８乃至図１０は、枠体１０を折り畳む様子を示す説明図である。これらの図に示すように、上述した構成を採用することにより、二つ折りとなった第１のダンボール部１１を一対の第２のダンボール部１２によって挟持せしめることができ、枠体１０を簡易かつコンパクトに折り畳むことが可能となる。
【００３５】
図１１および図１２は、上述した組み立て式ベッドの使用方法を示す説明図である。
【００３６】
使用者は、最初に、図１１（ａ）に示すように枠体１０を取り出し、図１１（ｂ）に示すようにこれを展開して、図１１（ｃ）に示すような平面視においてその内周が矩形状をなす環状の枠体を形成する。そして、図１２（ａ）および図１２（ｂ）に示すように、その内部に一対の床板２０を入れ、床板２０の周囲に形成された６個の連結片２５を、第１のダンボール部１１と支持板３０との間に形成された凹部３１および第２のダンボール部１２と支持板３０との間に形成された凹部３１内に挿入する。これにより、図１２（ｃ）に示すように、その内部に使用者が寝ることができ使用者の外周が枠体１０で囲まれたベッドを構成することができる。
【００３７】
次に、この考案の他の実施の形態について説明する。図１３はこの考案の第２実施形態に係る組み立て式ベッドの要部を示す斜視図である。また、図１４は、第１のダンボール部１１と支持部材５０との間に形成された凹部５１を示す斜視図であり、図１５は連結棒６０の斜視図である。なお、上述した第１実施形態と同様の部材については、同一の符号を付して詳細な説明を省略する。
【００３８】
上述した第１実施形態においては、各床板２０に付設された６個の連結片２５と凹部３１とを利用して、枠体１０における第１のダンボール部１１間の距離が所定以上となることを防止している。これに対して、この第２実施形態においては、上記連結片２５に変えて、第１のダンボール部１１と支持部材５０との間に形成された凹部５１内に挿入可能な連結片６１をその両端に付設した連結棒６０を利用している。
【００３９】
すなわち、図１４に示すように、この実施形態に係る支持部材５０には、連結棒６０が通過可能な切欠と、連結棒６０の両端に付設された連結片６１が挿入可能な切欠が形成されており、第１のダンボール部１１と支持部材５０との間には凹部５１が形成される構成となっている。このため、連結棒６０の両端の連結片６１を、第１のダンボール部１１と支持部材５０との間に形成された凹部５１内に挿入することにより、床板２０の下方において、枠体１０における第１のダンボール部１１間の距離が所定以上となることを防止することが可能となる。
【００４０】
次に、この考案の他の実施の形態について説明する。図１６はこの考案の第３実施形態に係る組み立て式ベッドの斜視図であり、図１７はその積層状態を示す説明図である。また、図１８は、積層用連結具７０を示す斜視図である。
【００４１】
この実施形態に係る組み立て式ベッド、第１実施形態または第２実施形態に係る組み立て式ベットを、積層用連結具７０を介して上下に二段積層した構成を有する。積層用連結具７０は、図１８に示すように、ダンボールを巻回して三角柱を構成した一対の支柱部７１と、これらの支柱部７１を連結するダンボール製の連結板７２とから構成される。
【００４２】
この第３実施形態に係る組み立て式ベッドを使用した場合には、避難所の床面積が小さい場合においても、多数のベットを効率的に使用することが可能となる。
【図面の簡単な説明】
【００４３】
【図１】この考案の第１実施形態に係る組み立て式ベッドの斜視図である。
【図２】この考案の第１実施形態に係る組み立て式ベッドの分解斜視図である。
【図３】この考案の第１実施形態に係る組み立て式ベッドの概要図である。
【図４】支持板３０を第１のダンボール部１１に接着した状態を示す部分拡大図である。
【図５】支持板３０における凹部３１付近の拡大図である。
【図６】床板２０の斜視図である。
【図７】床板２０の中央部付近の断面図である。
【図８】枠体１０を折り畳む様子を示す説明図である。
【図９】枠体１０を折り畳む様子を示す説明図である。
【図１０】枠体１０を折り畳む様子を示す説明図である。
【図１１】組み立て式ベッドの使用方法を示す説明図である。
【図１２】組み立て式ベッドの使用方法を示す説明図である。
【図１３】この考案の第２実施形態に係る組み立て式ベッドの要部を示す斜視図である。
【図１４】凹部５１を示す斜視図である。
【図１５】連結棒６０の斜視図である。
【図１６】この考案の第３実施形態に係る組み立て式ベッドの斜視図である。
【図１７】この考案の第３実施形態に係る組み立て式ベッドの積層状態を示す説明図である。
【図１８】積層用連結具７０を示す斜視図である。
【符号の説明】
【００４４】
１０      枠体
１１      第１のダンボール部
１２      第２のダンボール部
２０      床板
２１      エアパッキングシート
２２      ダンボール板
２３      ハニカム構造のダンボール板
２５      連結片
３０      支持板
３１      凹部
５０      支持部材
５１      凹部
６０      連結棒
６１      連結片
７０      積層用連結具
【図１】
0003137572.tif 000003
【図２】
0003137572.tif 000004
【図３】
0003137572.tif 000005
【図４】
0003137572.tif 000006
【図５】
0003137572.tif 000007
【図６】
0003137572.tif 000008
【図７】
0003137572.tif 000009
【図８】
0003137572.tif 000010
【図９】
0003137572.tif 000011
【図１０】
0003137572.tif 000012
【図１１】
0003137572.tif 000013
【図１２】
0003137572.tif 000014
【図１３】
0003137572.tif 000015
【図１４】
0003137572.tif 000016
【図１５】
0003137572.tif 000017
【図１６】
0003137572.tif 000018
【図１７】
0003137572.tif 000019
【図１８】
0003137572.tif 000020